(57)【要約】【課題】パスワードを含む情報の秘匿性を向上させる。【解決手段】携帯端末装置は、表示部５０と、表示制御部５１と、操作検出部５２と、実行処理部５３とを備えている。表示部５０は、操作位置の検出と各種オブジェクトを表示する。表示制御部５１は、各種オブジェクトを前記表示部の画面上に配置し、所定の領域に対する操作情報を出力する。操作検出部５２は、所定の領域に対する操作を検出する。実行処理部５３は、上記操作検出部５２の検出結果に応じて、所定の処理を実行する。【選択図】図９
2014064862.tif 000002
【特許請求の範囲】
【請求項１】
操作位置の検出と各種オブジェクトを表示する表示部と、
各種オブジェクトを前記表示部の画面上に配置し、所定の領域に対する操作情報を出力する表示制御部と、
前記所定の領域に対する操作を検出する操作検出部と、
前記操作検出部の検出結果に応じて、所定の処理を実行する実行処理部と
を備えることを特徴とする携帯端末装置。
【請求項２】
音声を出力する音声出力デバイスを更に備え、
前記実行処理部は、前記所定の領域に紐付けられている情報を、前記音声出力デバイスから音声で出力することを特徴とする請求項１に記載の携帯端末装置。
【請求項３】
音声を出力する音声出力デバイスと、
前記所定の領域に対する操作を、前記音声出力デバイスから音声で案内する案内部と
を更に備えることを特徴とする請求項１に記載の携帯端末装置。
【請求項４】
前記案内部は、前記所定の領域に紐付けられている情報を、前記表示部に表示してもよいか否かを確認する確認メッセージを、前記音声出力デバイスから音声として出力し、
前記実行処理部は、前記案内部により確認メッセージが音声として出力された後、前記操作検出部によって前記所定の領域に対する操作が検出されると、前記所定の領域に紐付けられている情報を前記表示部に表示する
ことを特徴とする請求項２または３に記載の携帯端末装置。
【請求項５】
前記実行処理部は、前記表示部に情報を表示した状態で、所定の時間Ｔ１が経過した場合、前記表示部に表示した情報を消去する
ことを特徴とする請求項４に記載の携帯端末装置。
【請求項６】
前記音声出力デバイスは、当該装置に着脱可能であり、
前記実行処理部は、前記表示部に情報を表示した状態で、前記音声出力デバイスが非接続状態になった場合、前記表示部に表示した情報を消去する
ことを特徴とする請求項４に記載の携帯端末装置。
【請求項７】
前記実行処理部は、
前記音声出力デバイスが非接続状態になった後、所定の時間Ｔ２内に、再度、接続状態になった場合、前記表示部に情報を再表示する
ことを特徴とする請求項６に記載の携帯端末装置。
【請求項８】
操作位置の検出と各種オブジェクトを表示部に表示するステップと、
各種オブジェクトを前記表示部の画面上に配置し、所定の領域に対する操作情報を出力するステップと、
前記所定の領域に対する操作を検出するステップと、
前記所定の領域に対する操作の検出結果に応じて、所定の処理を実行するステップと
を含むことを特徴とする情報提示方法。
【請求項９】
コンピュータに、
操作位置の検出と各種オブジェクトを表示部に表示する表示機能、
各種オブジェクトを前記表示部の画面上に配置し、所定の領域に対する操作情報を出力する表示制御機能、
前記所定の領域に対する操作を検出する操作検出機能、
前記操作検出機能による検出結果に応じて、所定の処理を実行する実行処理機能
を実行させることを特徴とするプログラム。
【発明の詳細な説明】
【技術分野】
【０００１】
本発明は、携帯端末装置、情報提示方法、及びプログラムに関する。
【背景技術】
【０００２】
従来、スマートフォンやタブレット端末などの携帯端末装置では、タッチパネルを備えた表示部を備え、該タッチパネルからのタッチ操作により入力を行うようになっている。また、音声出力を行うための着脱可能なイヤホン（通話の場合、マイクロフォンも含む）を接続可能とし、通話機能による通話や、音楽ファイルの再生出力を行うことも可能になっている。例えば、特許文献１、２、３、４には、タッチパネルを備えた表示部や、音声出力を行う着脱可能なイヤホンを備える携帯電話などの携帯端末装置に関する技術が提案されている。【０００３】
このような携帯端末装置において、情報保護は、パスワード等によるものが一般的であり、タッチパネルから入力した所定のパスワードと、予め登録されているパスワードとが一致した場合、情報を表示部に表示するようになっている。
【先行技術文献】
【特許文献】
【０００４】
【特許文献１】特開２０１２−０７４８７０号公報
【特許文献２】特開２０１０−２７９０７０号公報
【特許文献３】特開２０１２−００３６１０号公報
【特許文献４】特開２０１０−２６３４３３号公報
【発明の概要】
【発明が解決しようとする課題】
【０００５】
しかしながら、上述した特許文献１、２、３、４に開示されているような携帯端末装置では、パスワードの入力時や、情報の表示部への表示時に、周囲に人がいれば、パスワードや情報を盗み見られる可能性が高く、情報を保護する手段としては不充分であるという問題があった。【０００６】
そこで本発明は、パスワードを含む情報の秘匿性を向上させることができる携帯端末装置、情報提示方法、及びプログラムを提供することを目的とする。
【課題を解決するための手段】
【０００７】
本発明の携帯端末装置は、操作位置の検出と各種オブジェクトを表示する表示部と、各種オブジェクトを前記表示部の画面上に配置し、所定の領域に対する操作情報を出力する表示制御部と、前記所定の領域に対する操作を検出する操作検出部と、前記操作検出部の検出結果に応じて、所定の処理を実行する実行処理部とを備えることを特徴とする携帯端末装置である。【０００８】
本発明の情報提示方法は、操作位置の検出と各種オブジェクトを表示部に表示するステップと、各種オブジェクトを前記表示部の画面上に配置し、所定の領域に対する操作情報を出力するステップと、前記所定の領域に対する操作を検出するステップと、前記所定の領域に対する操作の検出結果に応じて、所定の処理を実行するステップとを含むことを特徴とする情報提示方法である。【０００９】
本発明のプログラムは、コンピュータに、操作位置の検出と各種オブジェクトを表示部に表示する表示機能、各種オブジェクトを前記表示部の画面上に配置し、所定の領域に対する操作情報を出力する表示制御機能、前記所定の領域に対する操作を検出する操作検出機能、前記操作検出機能による検出結果に応じて、所定の処理を実行する実行処理機能を実行させることを特徴とするプログラムである。
【発明の効果】
【００１０】
この発明によれば、パスワードを含む情報の秘匿性を向上させることができる。
【図面の簡単な説明】
【００１１】
【図１】本発明の第１実施形態による携帯端末装置１の構成を示すブロック図である。
【図２】本第１実施形態による携帯端末装置１の動作を説明するためのフローチャートである。
【図３】本第１実施形態による携帯端末装置１の動作とユーザ操作とを説明するための概念図である。
【図４】本第１実施形態の変形例（その１）による携帯端末装置１の動作とユーザ操作とを説明するための概念図である。
【図５】本第１実施形態の変形例（その２）による携帯端末装置１の動作とユーザ操作とを説明するための概念図である。
【図６】本第１実施形態の変形例（その３）による携帯端末装置１の動作とユーザ操作とを説明するための概念図である。
【図７】本第２実施形態による携帯端末装置１の動作を説明するためのフローチャートである。
【図８】本第２実施形態による携帯端末装置１の動作を説明するためのフローチャートである。
【図９】付記１の構成図である。
【発明を実施するための形態】
【００１２】
以下、本発明の実施の形態を、図面を参照して説明する。
【００１３】
Ａ．第１実施形態
まず、本発明の第１実施形態について説明する。
図１は、本発明の第１実施形態による携帯端末装置１の構成を示すブロック図である。図において、携帯端末装置１は、情報記憶部１０、接触検出部１１、表示制御部１２、表示部１３、音声制御部１４、制御部１５、及び音声出力デバイス１６を備えている。
【００１４】
情報記憶部１０は、フラッシュメモリ等の書き換え可能な不揮発性メモリからなり、各アプリケーションに係る情報、例えば、メールアプリケーションのアドレス帳データや、メール本文、受信件数などを保持している。接触検出部１１は、表示部１３の画面上に配設されており、所定の操作物（ユーザの指、ペンなど）による接触（または接近、以下、接近については省略）を検出し、必要に応じて接触の位置を検出する。特に、本第１実施形態では、接触検出部１１は、表示部１３に配置されたアイコンや仮想アイコン（後述）がユーザにより選択（タッチ）されたことを検出する。
【００１５】
表示制御部１２は、制御部１５による制御に従って、表示部１３にアイコンを表示させるとともに、仮想アイコンを配置する。アイコンは、ある特定のアプリケーションや機能を起動するためのものであり、該当アイコンを選択（タッチ）することで、そのアイコンに対応付けられているアプリケーションや機能を起動する。また、仮想アイコンは、表示部１３に表示されず、視覚的に認識することは不可能なアイコンであり、情報記憶部１０に記憶されている情報にアクセスするために用いられる。なお、仮想アイコンを配置すると記載しているが、仮想アイコンは、可視可能に表示させる対象物でなくともよい。即ち、仮想アイコンとして配置する領域を予め定め、当該領域に対する操作を検出した場合、配置された仮想アイコンに対する操作がなされるものとして説明する。すなわち、仮想アイコンとは、何も表示されていないが、その配置部分を選択（タッチ）されると、所定の動作、機能を実行するという意味で、その配置部分に選択（タッチ）操作の感応領域を設定することに相当する。また、仮想アイコンや、通常のアイコンに重畳されるオブジェクトなどを総称して仮想オブジェクトという。
【００１６】
本第１実施形態では、仮想アイコンに関する案内（仮想アイコンに対する接触操作を誘導する案内）を行うための案内メッセージ（例えば、「〜下に秘密のアイコンがあります。」）を、後述する音声出力デバイス１６を装着しているユーザのみに音声により通知する。そして、ユーザが仮想アイコンに関する案内に従って、仮想アイコンへの接触操作（例えば、仮想アイコンへのタッチ操作）を行うと、情報記憶部１０に記憶されている情報を音声出力デバイス１６から音声で出力するようになっている。
【００１７】
表示部１３は、液晶表示器や有機ＥＬ表示器などからなり、表示制御部１２の制御に従って、各種情報、アイコンなどを表示する。音声制御部１４は、制御部１５による制御に従って、仮想アイコンに関する案内を行うための案内メッセージや、合成音声等により音声読み上げられる情報などの音声信号に音声信号処理を施して音声出力デバイス１６に出力する。
【００１８】
制御部１５は、所定のプログラムに従って、当該携帯端末装置１の各部の動作を制御する。具体的には、制御部１５は、音声出力デバイス１６が接続されたことを検出すると、情報記憶部１０に保持される情報を提示するための仮想アイコンを、表示部１３の画面内に配置するように表示制御部１２を制御する。そして、制御部１５は、仮想アイコンに関する案内を行うための案内メッセージを、音声信号として音声制御部１４に供給し、音声出力デバイス１６から音声として出力するよう制御する。
【００１９】
また、制御部１５は、仮想アイコンがユーザにより選択（タッチ）されたことが接触検出部１１により検出されると、情報記憶部１０に保持される情報をユーザに提示する。具体的には、制御部１５は、情報（テキストメッセージ）を合成音声処理により音声読み上げを行なうことで、音声信号として音声制御部１４に供給し、音声出力デバイス１６から音声として出力する。
【００２０】
また、情報が音声データであれば、音声データ自体を再生して音声制御部１４に供給し、音声出力デバイス１６から音声として出力してもよいし、音声データの属性（ファイル名、サイズ、ファイル種類、作成日時など）を、合成音声等により音声読み上げを行なうことで、音声信号として音声制御部１４に供給し、音声出力デバイス１６から音声として出力してもよい。
【００２１】
なお、制御部１５は、接続される音声出力デバイス１６が所定の個体であることを認証し、所定の個体である場合にのみ、上述した一連の処理を実行するようにしてもよい。言い換えると、登録された音声出力デバイス１６以外の音声出力デバイスを接続しても、上述した一連の処理を実行せず、情報を知ることはできないようにしてもよい。
【００２２】
音声出力デバイス１６は、着脱可能なヘッドホンやイヤホンなどからなり、有線接続、あるいは、近距離無線通信等を用いた無線接続で、音声制御部に１４接続される。音声出力デバイス１６は、音声制御部１４からの音声信号を、すなわち、仮想アイコンに関する案内を行うための案内メッセージや、合成音声等により音声読み上げられる情報を、音声として出力する。
【００２３】
次に、本第１実施形態の動作について説明する。
図２は、本第１実施形態による携帯端末装置１の動作を説明するためのフローチャートである。まず、制御部１５は、音声出力デバイス１６が接続されたか否かを判別し（ステップＳａ１０）、音声出力デバイス１６が接続されていない場合には（ステップＳａ１０のＮＯ）、当該処理を終了する。一方、音声出力デバイス１６が接続されている場合には（ステップＳａ１０のＹＥＳ）、制御部１５は、仮想アイコンを表示部１３に配置するよう表示制御部１２を制御する（ステップＳａ１２）。仮想アイコンは、通常のアイコンを避けた場所に、その都度、ランダムに配置される。
【００２４】
次に、制御部１５は、仮想アイコンに関する案内を行うための案内メッセージを、音声制御部１４を介して音声出力デバイス１６から音声として出力する（ステップＳａ１４）。例えば、「〜下に秘密のアイコンがあります。」というような案内メッセージが、音声出力デバイス１６から出力される。この仮想アイコンの位置は、音声出力デバイス１６を装着しているユーザのみに通知されることになり、周囲に他人が居たとしても漏洩することはない。
【００２５】
次に、制御部１５は、接触検出部１１による検出結果に基づいて、仮想アイコンへの接触（タッチ）があったか否かを判別する（ステップＳａ１６）。そして、仮想アイコンへの接触（タッチ）がなかった場合には（ステップＳａ１６のＮＯ）、情報の提示を必要としていないと判断して当該処理を終了する。なお、実際には、仮想アイコンに関する案内を行うための案内メッセージの通知を行ってから所定の時間内に仮想アイコンに対する接触（タッチ）がなかった場合に、当該処理を終了するようにしてもよい。
【００２６】
一方、制御部１５は、仮想アイコンへの接触（タッチ）があった場合には（ステップＳａ１６のＹＥＳ）、情報記憶部１０から情報を読み出し、音声制御部１４を介して、音声出力デバイス１６から音声として出力する（ステップＳａ１８）。つまり、制御部１５は、情報（テキストメッセージ）を合成音声等により音声読み上げを行なうことで、音声制御部１４を介して音声出力デバイス１６から音声として出力する。
【００２７】
また、情報が音声データであれば、音声データ自体を再生し、音声制御部１４を介して音声出力デバイス１６から音声として出力してもよいし、音声データの属性（ファイル名、サイズ、ファイル種類、作成日時など）を、合成音声等により音声読み上げを行なうことで、音声制御部１４を介して音声出力デバイス１６から音声として出力してもよい。そして、当該処理を終了する。
【００２８】
図３は、本第１実施形態による携帯端末装置１の動作とユーザ操作とを説明するための概念図である。携帯端末装置１の表示部１３には、複数のアイコン２０が表示されている。これら複数のアイコン２０は、ユーザにより視認可能である。制御部１３は、音声出力デバイス１６が接続されたことを検出すると、情報記憶部１０に保持される情報を提示するための仮想アイコン３０を表示部１３に配置する。そして、制御部１５は、仮想アイコン３０に関する案内を行うための案内メッセージ「下真ん中に秘密のアイコンがあります。」を、音声として音声出力デバイス１６から出力する。
【００２９】
音声出力デバイス１６から出力される上記案内メッセージを聞いたユーザは、表示部１３に配置された仮想アイコン３０をタッチする。制御部１５は、仮想アイコン３０への接触（タッチ）があると、情報記憶部１０から情報を読み出し、音声出力デバイス１６から音声として出力する。図示の例では、音声出力デバイス１６を装着したユーザは、「５件の新着メッセージがあります。」という情報を音声として聞くことになる。
【００３０】
図４は、本第１実施形態の変形例（その１）による携帯端末装置１の動作とユーザ操作とを説明するための概念図である。図４に示す変形例（その１）では、仮想アイコン３０の配置までは同じであるが、その後のユーザ操作に相違があり、単に、仮想アイコン３０へのタッチ操作では情報を提示しない。変形例（その１）では、案内メッセージとして、例えば、「下真ん中にある秘密のアイコンをタッチした後、所望アプリのアイコンをタッチしてください。」というように、仮想アイコン３０と通常のアイコン２０とを組み合わせた接触操作を案内する。
【００３１】
仮想アイコン３０に関する案内メッセージを聞いたユーザは、まず、表示部１３に配置された仮想アイコン３０をタッチした後、所定のアプリケーションを起動する通常のアイコン２０（の１つ）を更にタッチ操作する。この通常のアイコン２０が例えばメールソフトウェアを起動するものであれば、そのアプリケーションに関連する情報（新着メッセージの有無及び件数等）が、音声出力デバイス１６から音声として出力される。
【００３２】
図５は、本第１実施形態の変形例（その２）による携帯端末装置１の動作とユーザ操作とを説明するための概念図である。図５に示す変形例（その２）では、仮想アイコン３０の配置までは同じであるが、その後のユーザ操作に相違があり、単に、仮想アイコン３０のタッチ操作では情報を提示しない。変形例（その２）では、案内メッセージとして、例えば、「下真ん中にある秘密のアイコンと、所望アプリのアイコンとを同時にタッチしてください。」というように、仮想アイコン３０と通常のアイコン２０とを組み合わせた接触操作を案内する。
【００３３】
仮想アイコン３０に関する案内メッセージを聞いたユーザは、表示部１３に配置された仮想アイコン３０と情報を聞きたいアプリケーションに対応するアイコン２０（の１つ）とをマルチタッチ（同時に２か所以上をタッチすること）する。この通常のアイコン２０が例えばメールソフトウェアを起動するものであれば、そのアプリケーションに関連する情報（新着メッセージの有無及び件数等）が、音声出力デバイス１６から音声として出力される。
【００３４】
図６は、本第１実施形態の変形例（その３）による携帯端末装置１の動作とユーザ操作とを説明するための概念図である。図６に示す変形例（その３）では、仮想アイコン３０の配置までは同じであるが、その後のユーザ操作に相違があり、単に、仮想アイコン３０のタッチ操作では情報を提示しない。変形例（その３）では、案内メッセージとして、例えば、「下真ん中にある秘密のアイコンの位置に、所望アプリのアイコンをドラッグしてください。」というように、仮想アイコン３０と通常のアイコン２０とを組み合わせた接触操作を案内する。
【００３５】
仮想アイコン３０に関する案内メッセージを聞いたユーザは、情報を聞きたいアプリケーションに対応するアイコン２０（の１つ）を、タッチした状態で表示部１３に配置された仮想アイコン３０の位置に移動（ドラッグ）させる。この通常のアイコン２０が例えばメールソフトウェアを起動するものであれば、そのアプリケーションに関連する情報（新着メッセージの有無及び件数等）が、音声出力デバイス１６から音声として出力される。図示の例では、「５件の新着メッセージがあります」という新着メッセージが音声で出力される様子が示されている。なお、仮想アイコン３０の位置に移動したアイコン２０は、ユーザが指を離した時点で元の位置に戻るようになっている。
【００３６】
上述した第１実施形態によれば、音声出力デバイス１６を装着したユーザのみが知り得る仮想アイコン３０がタッチ操作されたことが検出されると、音声出力デバイス１６を装着したユーザのみに音声により情報を提示するようにしたので、パスワードを入力する必要もなく、パスワードを含む情報を、周囲に居る第三者に盗み見られることを防ぐことができる。
【００３７】
また、上述した本第１実施形態の変形例（その１）〜変形例（その３）によれば、仮想アイコン３０と通常のアプリケーションに対応するアイコン２０とを組み合わせて操作されたことが検出されると、そのアイコン２０に対応するアプリケーションの情報を、音声出力デバイス１６を装着したユーザのみに音声により提示するようにしたので、パスワードを含む、ユーザが選択したアプリケーションの情報を、周囲に居る第三者に盗み見られることを防ぐことができる。
【００３８】
Ｂ．第２実施形態
次に、本発明の第２実施形態について説明する。
本第２実施形態では、情報を表示部１３により出力してよいかどうかを尋ねるための確認メッセージを、音声出力デバイス１６から音声として出力し、これを聞いたユーザが所定の操作を行った場合に、情報記憶部１０に保持されている情報を表示部１３に表示することを特徴とする。なお、携帯端末装置１の構成は、図１と同様であるので説明を省略する。
【００３９】
図７、及び図８は、本第２実施形態による携帯端末装置１の動作を説明するためのフローチャートである。まず、制御部１５は、音声出力デバイス１６が接続されたか否かを判別し（ステップＳｂ１０）、音声出力デバイス１６が接続されていない場合には（ステップＳｂ１０のＮＯ）、当該処理を終了する。
【００４０】
一方、音声出力デバイス１６が接続されている場合には（ステップＳｂ１０のＹＥＳ）、制御部１５は、フラグＦを「０」にリセットする（ステップＳｂ１２）。該フラグＦは、情報を表示部１３に出力するか、音声出力デバイス１６に出力するかを示すフラグである。
【００４１】
次に、制御部１５は、情報を表示部１３に表示してよいかどうかを尋ねるための確認メッセージを、音声制御部１４を介して、音声出力デバイス１６から音声として出力する（ステップＳｂ１４）。情報の表示可否確認メッセージとしては、例えば、「情報を表示部に表示してもよい場合には、所定の操作を行ってください。」などが考えられる。
【００４２】
なお、所定の操作とは、例えば以下の通りであり、予めユーザが設定しているものとする。
（ａ）所定の音声をユーザが発する。
（ｂ）所定の接触操作（または接近操作）を行う。
（ｃ）所定のキー操作を行う。
【００４３】
そして、ユーザが所定の操作を行った場合には（ステップＳｂ１６のＹＥＳ）、フラグＦ＝１とする（ステップＳｂ１８）。一方、ユーザが所定の操作を行わなかった場合には（ステップＳｂ１６のＮＯ）、フラグＦ＝０のままとする。なお、所定の操作を行ったか否かの判定は、所定の時間内という条件を設けてもよい。すなわち、表示可否確認メッセージが音声出力デバイス１６から出力されてから所定の時間内に、所定の操作が行われた場合には、フラグＦ＝１とし、所定の時間内に、所定の操作が行われなかった場合には、フラグＦ＝０のままとしてもよい。
【００４４】
次に、制御部１５は、仮想アイコンを表示部１３に配置するよう表示制御部１２を制御する（ステップＳｂ２０）。仮想アイコンは、通常のアイコンを避けた場所に、その都度、ランダムに配置される。
【００４５】
次に、制御部１５は、仮想アイコンに関する案内を行うための案内メッセージを、音声制御部１４を介して音声出力デバイス１６から音声として出力する（ステップＳｂ２２）。例えば、「〜下に秘密のアイコンがあります。」というような案内メッセージが、音声出力デバイス１６から出力される。この仮想アイコンの位置は、音声出力デバイス１６を装着しているユーザのみに通知されることになり、周囲に他人が居たとしても漏洩することはない。
【００４６】
次に、制御部１５は、接触検出部１１による検出結果に基づいて、仮想アイコンへの接触（タッチ）があったか否かを判別する（ステップＳｂ２４）。そして、仮想アイコンへの接触（タッチ）がなかった場合には（ステップＳｂ２４のＮＯ）、情報の提示を必要としていないと判断して当該処理を終了する。なお、実際には、仮想アイコンの配置、通知を行ってから所定の時間内に仮想アイコンに対する接触（タッチ）がなかった場合に、当該処理を終了するようにしてもよい。
【００４７】
一方、制御部１５は、仮想アイコンへの接触（タッチ）があった場合には（ステップＳｂ２４のＹＥＳ）、フラグＦ＝１であるか否かを判別する（ステップＳｂ２６）。そして、フラグＦ＝１である場合には（ステップＳｂ２６のＹＥＳ）、情報記憶部１０から情報を読み出し、表示制御部１２を介して、表示部１３に表示する（ステップＳｂ２８）。
【００４８】
一方、フラグＦ＝０である場合には（ステップＳｂ２６のＮＯ）、情報記憶部１０から情報を読み出し、音声制御部１４を介して、音声出力デバイス１６から音声として出力する（ステップＳｂ３０）。つまり、制御部１５は、情報（テキストメッセージ）を合成音声等により音声読み上げを行なうことで、音声制御部１４を介して音声出力デバイス１６から音声として出力する。この場合、音声出力後、当該処理を終了する。
【００４９】
一方、情報を表示部１３に表示した場合には、制御部１５は、図示しないタイマをリセットし、計時をスタートさせる（図８のステップＳｂ３２）。次に、ユーザにより所定の終了操作が行われたかを判別する（ステップＳｂ３４）。所定の終了操作とは、例えば、表示部１３に表示された、情報の表示終了を指示するためのアイコン２０へのタッチ操作とか、所定のキー操作であってもよい。
【００５０】
そして、所定の終了操作が行われた場合には（ステップＳｂ３４のＹＥＳ）、情報の表示部１３への表示を終了し（ステップＳｂ４８）、当該処理を終了する。すなわち、表示部１３に表示されている情報を消去して当該処理を終了する。
【００５１】
一方、所定の終了操作が行われない場合には（ステップＳｂ３４のＮＯ）、タイマによる計時に基づいて、所定の時間Ｔ１（例えば、２０秒）経過したか否かを判定する（ステップＳｂ３６）。この所定の時間Ｔ１とは、ステップＳｂ２８で、情報を表示部１３に表示してからの経過時間である。
【００５２】
そして、情報を表示部１３に表示してから所定の時間Ｔ１（例えば、２０秒）が経過した場合には（ステップＳｂ３６のＹＥＳ）、情報の表示部１３への表示を終了し（ステップＳｂ４８）、当該処理を終了する。すなわち、表示部１３に表示されている情報を消去して当該処理を終了する。
【００５３】
一方、情報を表示部１３に表示してから所定の時間Ｔ１（例えば、２０秒）が経過していない場合には（ステップＳｂ３６のＮＯ）、音声出力デバイス１６が非接続状態であるか否か、すなわち音声出力デバイス１６が外されたか否かを判定する（ステップＳｂ３８）。そして、音声出力デバイス１６が外されていない場合には（ステップＳｂ３８のＮＯ）、ステップＳｂ３４に戻り、上述した処理を繰り返す。
【００５４】
すなわち、情報を表示部１３に表示してから、所定の時間Ｔ１（例えば、２０秒）が経過するか、所定の終了操作が行われた場合には、情報の表示部１３への表示を終了して当該処理を終了する。なわち、表示部１３に表示されている情報を消去して当該処理を終了する。
【００５５】
これに対して、情報を表示部１３に表示してから、所定の終了操作が行われずに、かつ、所定の時間Ｔ１（例えば、２０秒）が経過するまでに、音声出力デバイス１６が外された場合には（ステップＳｂ３８のＹＥＳ）、情報の表示部１３への表示を終了する（ステップＳｂ４０）。
【００５６】
すなわち、情報を表示部１３に表示した状態で、所定の終了操作が行われることなく、所定の時間Ｔ１（例えば、２０秒）内に音声出力デバイス１６が外された場合には、情報の表示部１３への表示を一旦終了する。すなわち、表示部１３に表示されている情報を一旦消去する。
【００５７】
次に、タイマによる計時に基づいて、所定の時間Ｔ２（例えば、３０秒）内であるか否かを判定する（ステップＳｂ４２）。そして、情報を表示部１３に表示してから所定の時間Ｔ２（例えば、３０秒）内でない場合には（ステップＳｂ４２）、すなわち所定の時間Ｔ２（例えば、３０秒）を超えた場合には（ステップＳｂ４２のＮＯ）、そのまま当該処理を終了する。
【００５８】
すなわち、情報を表示部１３に表示した状態で、所定の終了操作が行われることなく、所定の時間Ｔ１（例えば、２０秒）内に音声出力デバイス１６が外された場合には、表示部１３ｂに表示されている情報を一旦消去した後、さらに、所定の時間Ｔ２（例えば、３０秒）内に音声出力デバイス１６が再接続されなかった場合には、情報を消去した状態で当該処理を終了する。
【００５９】
一方、情報を表示部１３に表示してからの経過時間が所定の時間Ｔ２（例えば、３０秒）内である場合には（ステップＳｂ４２のＹＥＳ）、音声出力デバイス１６が再接続されたか否かを判定する（ステップＳｂ４４）。そして、音声出力デバイス１６が再接続されていない場合には（ステップＳｂ４４のＮＯ）、ステップＳｂ４２に戻り、上述した処理を繰り返す。そして、所定の時間Ｔ２（例えば、３０秒）内に音声出力デバイス１６が再接続された場合には（ステップＳｂ４４のＹＥＳ）、一旦消去した情報を表示部１３に再表示し（ステップＳｂ４６）、ステップＳｂ３２に戻り、上述した処理を繰り返す。
【００６０】
すなわち、情報を表示部１３に表示してから所定の終了操作が行われることなく、所定の時間Ｔ１（例えば、２０秒）内に音声出力デバイス１６が外され、さらに、所定の時間Ｔ２（例えば、３０秒）内に音声出力デバイス１６が再接続された場合には、一旦消去した情報を表示部１３に再表示する。それ以降は、上述したステップＳｂ３２〜Ｓｂ４８を繰り返す。
【００６１】
なお、音声出力デバイス１６が非接続状態になった後、所定の時間Ｔ２内に再度接続状態になった場合には、前回提示していた情報の提示を再開したが、これ以外に、前回提示していた情報をメニューとして提示してもよいし、ステップＳｂ１０に戻って、情報の案内を再開してもよい。
【００６２】
また、本第２実施形態においても、上述した第１実施形態の変形例（その１）〜変形例（その３）と同様に、仮想アイコン３０と通常のアプリケーションに対応するアイコン２０とを組み合わせて操作することで、そのアイコン２０に対応するアプリケーションの情報を提示するようにしてもよい。
【００６３】
上述した第２実施形態によれば、ユーザが、周囲に他人が居ず、情報を盗み見られる可能性がないと判断した場合には、情報を表示部１３に表示させるようにしたので、パスワードを含む情報を、周囲に居る第三者に盗み見られることなく、容易に確認することができる。
【００６４】
なお、本発明は、タッチパネルを備える電子機器であればよく、スマートフォン、タブレット端末、据置型の情報処理装置（パーソナルコンピュータ）、デジタルカメラ等にも幅広く適用できる。また、本発明では、仮想アイコンへの所定の接触操作が行われた場合に、情報を音声で提示するようにしたが、これら一連の処理に先立ってユーザ個人を認証するための生体認証（指紋認証、声紋認証、網膜認証など）を行うようにしてもよい。
【００６５】
この出願は、２０１２年１０月２２日に出願された日本出願特願２０１２−２３２６６２号を基礎とする優先権を主張し、その開示を全てここに取り込む。
【００６６】
以下、本発明の特徴を付記する。
上記の実施形態の一部又は全部は、以下の付記のようにも記載されうるが、以下には限られない。
（付記１）
図９は、付記１の構成図である。この図に示すように、付記１記載の発明は、
操作位置の検出と各種オブジェクトを表示する表示部５０と、
各種オブジェクトを前記表示部５０の画面上に配置し、所定の領域に対する操作情報を出力する表示制御部と５１、
前記所定の領域に対する操作を検出する操作検出部５２と、
前記操作検出部５２の検出結果に応じて、所定の処理を実行する実行処理部５３と
を備えることを特徴とする携帯端末装置である。
【００６７】
（付記２）
音声を出力する音声出力デバイスを更に備え、前記実行処理部は、前記所定の領域に紐付けられている情報を、前記音声出力デバイスから音声で出力することを特徴とする付記１に記載の携帯端末装置である。
【００６８】
（付記３）
音声を出力する音声出力デバイスと、前記所定の領域に対する操作を、前記音声出力デバイスから音声で案内する案内部とを更に備えることを特徴とする付記１に記載の携帯端末装置である。
【００６９】
（付記４）
前記案内部は、前記所定の領域に紐付けられている情報を、前記表示部に表示してもよいか否かを確認する確認メッセージを、前記音声出力デバイスから音声として出力し、前記実行処理部は、前記案内部により確認メッセージが音声として出力された後、前記操作検出部によって前記所定の領域に対する操作が検出されると、前記所定の領域に紐付けられている情報を前記表示部に表示することを特徴とする付記２または３に記載の携帯端末装置である。
【００７０】
（付記５）
前記実行処理部は、前記表示部に情報を表示した状態で、所定の時間Ｔ１が経過した場合、前記表示部に表示した情報を消去することを特徴とする付記４に記載の携帯端末装置である。
【００７１】
（付記６）
前記音声出力デバイスは、当該装置に着脱可能であり、前記実行処理部は、前記表示部に情報を表示した状態で、前記音声出力デバイスが非接続状態になった場合、前記表示部に表示した情報を消去することを特徴とする付記４に記載の携帯端末装置である。
【００７２】
（付記７）
前記実行処理部は、前記音声出力デバイスが非接続状態になった後、所定の時間Ｔ２内に、再度、接続状態になった場合、前記表示部に情報を再表示することを特徴とする付記６に記載の携帯端末装置である。
【００７３】
（付記８）
操作位置の検出と各種オブジェクトを表示部に表示するステップと、各種オブジェクトを前記表示部の画面上に配置し、所定の領域に対する操作情報を出力するステップと、前記所定の領域に対する操作を検出するステップと、前記所定の領域に対する操作の検出結果に応じて、所定の処理を実行するステップとを含むことを特徴とする情報提示方法である。
【００７４】
（付記９）
コンピュータに、操作位置の検出と各種オブジェクトを表示部に表示する表示機能、各種オブジェクトを前記表示部の画面上に配置し、所定の領域に対する操作情報を出力する表示制御機能、前記所定の領域に対する操作を検出する操作検出機能、前記操作検出機能による検出結果に応じて、所定の処理を実行する実行処理機能を実行させることを特徴とするプログラムである。
【００７５】
（付記１０）
前記所定の領域に対する操作は、前記所定の領域に対する接触操作または接近操作であることを特徴とする付記１に記載の携帯端末装置である。
【００７６】
（付記１１）
前記所定の領域に対する操作は、前記所定の領域に対する接触操作または接近操作と、これに続く、可視のオブジェクトへの接触操作または接近操作であることを特徴とする付記１０に記載の携帯端末装置である。
【００７７】
（付記１２）
前記所定の領域に対する操作は、前記所定の領域と可視のアイコンとに同時に行われる接触操作または接近操作であることを特徴とする付記１０に記載の携帯端末装置である。
【符号の説明】
【００７８】
１  携帯端末装置
１０  情報記憶部
１１  接触検出部
１２  表示制御部
１３  表示部
１４  音声制御部
１５  制御部
１６  音声出力デバイス
【図１】
2014064862.tif 000003
【図２】
2014064862.tif 000004
【図３】
2014064862.tif 000005
【図４】
2014064862.tif 000006
【図５】
2014064862.tif 000007
【図６】
2014064862.tif 000008
【図７】
2014064862.tif 000009
【図８】
2014064862.tif 000010
【図９】
2014064862.tif 000011
【国際調査報告】
2014064862.tif 000012
2014064862.tif 000013
2014064862.tif 000014
2014064862.tif 000015